(57)【要約】【課題】建物の出入口から羽虫が侵入することを防止する方法の提供。【解決手段】原水を逆浸透膜装置により処理して得られた処理水を建物の出入口に対して噴霧する羽虫の侵入防止方法。【選択図】なし【特許請求の範囲】
【請求項１】
原水を逆浸透膜装置により処理して得られた処理水を建物の出入口に対して噴霧する羽虫の侵入防止方法。
【請求項２】
前記逆浸透膜装置により処理して得られた処理水が電気伝導度２０μＳ／ｃｍ以下のものである、請求項１記載の羽虫の侵入防止方法。
【請求項３】
前記逆浸透膜装置により処理して得られた処理水を噴霧するときの水滴の大きさが直径１００μm以下のものである、請求項１または２記載の羽虫の侵入防止方法。
【請求項４】
前記建物の出入口が、左右にスライドする開閉方式の自動扉を有しているものである、請求項１〜３のいずれか１項記載の羽虫の侵入防止方法。
【請求項５】
原水を逆浸透膜装置により処理して得られた処理水を建物の出入口に対して噴霧するとき、前記出入口の直上、左上、右上およびこれらを組み合わせた位置から選ばれる位置から噴霧する、請求項１〜４のいずれか１項記載の羽虫の侵入防止方法。
【請求項６】
請求項１〜５のいずれか１項記載の羽虫の侵入防止方法を実施するための装置であって、
前記装置が、逆浸透膜装置と、前記逆浸透膜装置の処理により得られた処理水を空調装置、冷蔵装置または冷凍装置の室外機が備えている熱交換器に噴霧するための第１噴霧具と、前記逆浸透膜装置の処理により得られた処理水を建物の出入口に噴霧するための第２噴霧具を有しているものである、羽虫の侵入防止装置。
【発明の詳細な説明】
【技術分野】
【０００１】
本発明は、建物の出入口から蚊、ハエなどの羽虫が侵入することを防止できる羽虫の侵入防止方法と、前記羽虫の防止方法の実施に適した羽虫の侵入防止装置に関する。
【背景技術】
【０００２】
入口がスライド式に開閉する自動扉を有している商店などでは、夏季において、自動扉が開閉するときに羽虫などが店内に入ってくることがある。羽虫は人に不快感を与えるだけでなく、食料品を扱う店やレストランなどでは衛生上の問題になることもある。
【０００３】
特許文献１には、エアカーテン気流を利用したエアカーテン装置により害虫の侵入を防止する発明が記載されている。
【０００４】
特許文献２には、建物の出入口に設置されたエアカーテンと防虫薬剤を組み合わせることで、虫の侵入を防止する発明が記載されている。しかしながら、防虫薬剤を使用することは食品を扱う商店にとっては好ましいものではないし、出入りする人にとっても好ましいものではない。
【０００５】
特許文献３には、エアカーテンによる虫の侵入防止方法の問題点の解決方法として、床面を這ってくる昆虫類の侵入防止方法の発明が記載されている。
【先行技術文献】
【特許文献】
【０００６】
【特許文献１】特開２０１１−２２６６８７号公報
【特許文献２】特開２０１２−８０８６６号公報
【特許文献３】特許第５６７１１７６号公報
【発明の概要】
【発明が解決しようとする課題】
【０００７】
本発明は、建物の出入口から内部に羽虫が侵入することを防止する羽虫の侵入防止方法と、前記羽虫の侵入防止方法の実施に適した羽虫の侵入防止装置を提供することを課題とする。
【課題を解決するための手段】
【０００８】
本発明は、原水を逆浸透膜装置により処理して得られた処理水を建物の出入口に対して噴霧する羽虫の侵入防止方法を提供する。
【０００９】
また本発明は、上記の羽虫の侵入防止方法を実施するための装置であって、
前記装置が、逆浸透膜装置と、前記逆浸透膜装置の処理により得られた処理水を空調装置、冷蔵装置または冷凍装置の室外機が備えている熱交換器に噴霧するための第１噴霧具と、前記逆浸透膜装置の処理により得られた処理水を建物の出入口に噴霧するための第２噴霧具を有しているものである、羽虫の侵入防止装置を提供する。
【発明の効果】
【００１０】
本発明の羽虫の侵入防止方法を実施すれば、建物の出入口から出入りする人に不快感を与えることなく、出入口からの羽虫の侵入を防止することができる。
本発明の羽虫の侵入防止装置の運転を実施すれば、前記の羽虫の侵入防止効果に加えて、室内の冷房装置、冷蔵装置または冷凍装置の運転に伴う電力使用量を削減することができる。
【図面の簡単な説明】
【００１１】
【図１】本発明の羽虫の侵入防止装置の説明図であり、上方から見たときの図。
【図２】図１に示す羽虫の侵入防止装置を使用した羽虫の侵入防止方法の説明図。
【発明を実施するための形態】
【００１２】
＜羽虫の侵入防止方法＞
本発明の羽虫の侵入防止方法において対象となる羽虫とは、翅のある小昆虫の俗称であり、本発明においては、蚊、カゲロウ、ハエ、アブ、ブユ、ユスリカ、羽アリ、シロアリなどの飛び回ることで人に不快感を与える小昆虫全般を含むものである。
【００１３】
本発明の羽虫の侵入防止方法は、人の出入りの頻度が高い各種商業施設の出入口、各種飲食施設の出入口、大規模集合住宅の共同出入口、大型ビルの出入口、保育園、幼稚園、各種学校などの出入口、給食施設の出入口、病院、医院、診療所の出入口、食品工場、製薬工場などの出入口において適している。
さらには本発明の羽虫の侵入防止方法は、前記出入口が、左右にスライドする開閉方式の自動扉を有している場合に適している。
【００１４】
本発明の羽虫の侵入防止方法は、原水を逆浸透膜装置（ＲＯ装置）により処理して得られた処理水（ＲＯ水）を上記した建物の出入口に対して噴霧する。
原水は、建物の出入口は人が出入りすることを考慮すると、水道水または地下水が好ましいが、殺菌処理した中水（排水の処理水）でもよい。
ＲＯ装置は公知のものを使用することができ、例えば、特許５５５１９７２号公報、特許第５５５２１３８号公報、特許第５６２８６４４号公報、特開２０１６−１５６５６５号公報に記載されているＲＯ装置を使用することができる。なお、ＲＯ装置は、分離膜モジュールとＲＯ装置用のポンプを備えたものを使用する。
【００１５】
ＲＯ水は、電気伝導度２０μＳ／ｃｍ以下のものが好ましく、電気伝導度１０μＳ／ｃｍ以下のものがより好ましい。
ＲＯ水の電気伝導度が２０μＳ／ｃｍ以下であると、継続して噴霧したときでも、出入口の扉、出入口付近の床面、出入口付近の壁面にスケール成分が付着し難くなるので好ましい。
【００１６】
ＲＯ水を噴霧するときの水滴の大きさは直径１００μm以下のものが好ましく、直径１０〜１００μmのものがより好ましく、直径１０〜７０μmのものがさらに好ましい。
噴霧する水滴の大きさが１００μm以下であると、出入りする人は殆ど気にはならない程度であるが、建物の出入口に羽虫が侵入することを防止できると共に、コンクリートなどの床面に水が滴り落ちることがほとんどなくなり、苔などが発生することも抑制できるので好ましい。
【００１７】
建物の出入口に対してＲＯ水を噴霧するとき、前記出入口の直上、左上、右上およびこれらを組み合わせた位置から選ばれる位置から噴霧する。
噴霧方向は、建物の出入口の扉に沿った真下や斜め下のほか、建物の壁面に対して垂直方向、斜め上方向または斜め下方向に噴霧することもできる。
噴霧は１箇所からもでもよいし、分散して２箇所以上から噴霧してもよい。
噴霧量は建物の出入口の大きさにより異なるが、出入口全体をＲＯ処理水が覆うことができる量を噴霧することが好ましい。例えば、出入口の最大開口面積が３．６ｍ2（縦２ｍ、横１．８ｍ）であるとき、５〜３０Ｌ／ｈｒが好ましい。
【００１８】
本発明の羽虫の侵入防止方法の一実施形態を説明する。
羽虫の活動時期は夏季が中心であることから、日本国内であれば、本発明の羽虫の侵入防止方法は４月〜１１月の間に実施することが効果的である。
実施時間は対象となる建物により異なるが、人の出入りが多く、羽虫の活動も活発な日中だけでなく、夜間照明に集まる羽虫の種類も多いため、例えば、２４時間営業のコンビニエンスストアでは２４時間実施することもできる。
実施に際してはＲＯ装置を作動させながらＲＯ水を製造する。製造したＲＯ水はＲＯ水の貯水タンクに貯水した後、別に設置したポンプにより送水して建物の出入口に継続的に噴霧する。
このような継続的な噴霧によって、建物の出入口はＲＯ水のミストシャワーで覆われた状態を維持することができ、建物の出入口から内部に羽虫が侵入し難くなる。
建物の出入口を出入りする人はミストシャワー内を通過することになるが、ミストシャワーの水滴が小さいこと、ミストシャワーとの接触時間もごく僅かな時間であることから、不快感を与えることもなく、特に高温の地域であれば返って爽快感を与えることもできる。
またＲＯ水を使用していることから、衣服に付着した場合でも、スケール成分が付着することもなく、出入口付近にスケール成分が付着することもない。
【００１９】
＜羽虫の侵入防止装置＞
本発明の羽虫の侵入防止装置は、上記した羽虫の侵入防止方法に適したものである。一実施形態を図１、図２により説明する。
本発明の羽虫の侵入防止装置は、特許５５５１９７２号公報、特許第５５５２１３８号公報、特許第５６２８６４４号公報、特開２０１６−１５６５６５号公報に記載されているＲＯ水を使用して室外機の熱交換器を冷却することと、ＲＯ水を建物の出入口に噴霧して羽虫の侵入を防止することの両方を同時に実施する装置である。
【００２０】
羽虫の侵入防止装置は、ＲＯ装置１０と、ＲＯ装置１０の処理により得られた処理水を空調装置、冷蔵装置または冷凍装置の室外機１０が備えている熱交換器に噴霧するための第１噴霧具と、ＲＯ装置１０の処理により得られた処理水を建物１の出入口４に噴霧するための第２噴霧具を有している。
ＲＯ装置１０は、ＲＯ膜モジュール、ポンプ、ＲＯ水の貯水タンクを有しており、原水源および電源と接続されている。
またＲＯ装置１０とは別に送水ポンプを組み合わせて使用することができる。
なお、図１、図２では室外機５は路上に置かれているが、建物１のベランダまたは建物１の屋上に置かれていてもよい。
【００２１】
第１噴霧具は、ＲＯ装置１０の貯水タンクと接続されている第１ライン１１と、第１ライン１１の噴霧口に接続された第１噴霧ノズル１２を有している。
第１ライン１１は、金属製パイプ、プラスチック製ホース、ゴム製ホースなどからなるものである。
第１ライン１１の噴霧口に取り付ける第１噴霧ノズル１２は市販品を使用することができ、例えば、特開２０１６−１５６５６５号公報の実施例に記載されている（株）いけうち製の霧ノズル１２５Ｎのほか、同社の山形分布ノズルＶ、山形分布ノズルＶＶ、山形分布ノズルＶＰ、山形分布ノズルＶＶＰ、山形分布ノズルＵＶＶＰ、山形分布ノズルＣＶＶＰ、山形分布ノズルＩＮＶ、山形分布ノズルＩＮＶＶ、山形分布ノズルＩＮＶＥなどを使用することができる。
第１噴霧ノズル１２は、室外機５内部の熱交換器にＲＯ水を噴霧できるようになっている。
第１噴霧ノズル１２を複数個使用するときは、第１ライン１１を複数ラインにするか、第１ライン１１を噴霧口近くが複数に分岐されたラインにすることができる。
なお、ＲＯ装置１０と第１噴霧具（第１ライン１１と第１噴霧ノズル１２）の組み合わせは、ダイセン・メンブレン・システムズ（株）から販売されているE mizu Showerシリーズ（E mizu-200D、mizu-350、E mizu-600、E mizu-1000、E mizu-2000、E mizu-3000）を使用することができる。
【００２２】
第２噴霧具は、ＲＯ装置１０の貯水タンクと接続されている第２ライン２１と、第２ライン２１の噴霧口に接続された第２噴霧ノズル２２を有している。
第２ライン２１は、金属製パイプ、プラスチック製ホース、ゴム製ホースなどからなるものである。
第２ライン２１の噴霧口に取り付ける第２噴霧ノズル２２は市販品を使用することができ、例えば、特開２０１６−１５６５６５号公報の実施例に記載されている（株）いけうち製の霧ノズル１２５Ｎのほか、同社の山形分布ノズルＶ、山形分布ノズルＶＶ、山形分布ノズルＶＰ、山形分布ノズルＶＶＰ、山形分布ノズルＵＶＶＰ、山形分布ノズルＣＶＶＰ、山形分布ノズルＩＮＶ、山形分布ノズルＩＮＶＶ、山形分布ノズルＩＮＶＥなどを使用することができる。
第２噴霧ノズル２２を複数個使用するときは、第２ライン２１を複数ラインにするか、第２ライン２１を噴霧口近くが複数に分岐されたラインにすることができる。
【００２３】
本発明の羽虫の侵入防止装置は、ＲＯ装置１０と第１噴霧具の組み合わせとしてダイセン・メンブレン・システムズ（株）から販売されているE mizu Showerシリーズを使用したときは、前記E mizu Showerシリーズの装置と第２噴霧具（第２ライン２１と第２噴霧ノズル２２）を組み合わせたもの、さらに必要に応じて送水ポンプを組み合わせたものにすることができる。
【００２４】
図１、図２の羽虫の侵入防止装置を使用した羽虫の侵入防止方法と室外機５内の熱交換器の冷却方法を説明する。
例えば、日本国内の夏季（７月、８月）の昼間、建物（例えばコンビニエンスストアの店舗）１内は、冷房装置により冷房状態にあり、商品が冷蔵装置と冷凍装置で冷蔵または冷凍されており、室外機５は作動状態にある。なお、図１では室外機は１台のみ示しているが、複数台の場合もある。
ＲＯ装置１０を作動させＲＯ水を製造して、電気伝導度の小さいＲＯ水を貯水タンク内に貯水する。
貯水タンク内のＲＯ水は、第１ライン１１から第１噴霧ノズル１２に送り、室外機５内の熱交換器に噴霧する。これにより熱交換器が冷却されることで、冷房（冷蔵、冷凍）に要する電力消費が削減されると共に、室外機５内の熱交換器、ファン、室外機の外表面にはスケールが付着することがない。
【００２５】
貯水タンク内のＲＯ水は、第２ライン２１から第２噴霧ノズル２２に送り、建物（コンビニエンスストアの店舗）１のスライド式に開閉する自動扉４の上方から下方に向かって扇状に噴霧する。
噴霧したＲＯ水は出入口（自動扉）４の全体を覆うようにミストシャワー状に飛散するため、買い物客が訪れたり、店内から買い物客が出てきたりして自動扉４が開いたときでも、羽虫はＲＯ水のミストシャワーに阻止されて店内には入らない。
開いた出入口４から羽虫が入ろうとした場合には、ＲＯ水のミストシャワー内を通過するときに翅が濡れてしまい、飛べなくなって落下してしまう。
このように本発明の羽虫の侵入防止装置は、冷房装置の室外機内の熱交換器の冷却と建物内への羽虫の侵入防止の両方を並行して実施することができるものである。
また本発明の羽虫の侵入防止装置を使用した羽虫の侵入防止方法は、人に安全でかつ不快感を与えることもなく、床面などを汚すこともなく、さらに電力料金も削減できる。
なお、適用する建物が冷房装置のみの場合で、冷房装置を運転していないときは、ＲＯ装置により得られたＲＯ水は出入口の噴霧にのみ使用することになる。
【実施例】
【００２６】
実施例１
コンビニエンスストアの店舗に対して羽虫の侵入防止方法を実施した。ＲＯ装置として、５０Ｌ／ｈｒの造水能力を有するものを使用した。
本発明の羽虫の侵入防止装置を使用して、２０１７年７月初旬の晴天日の午前６時から午後６時までの間、自動扉の上方からＲＯ水を扇状に噴霧しながら、室外機の熱交換器に対してＲＯ水を噴霧した。
室外機の熱交換器に対する散水量は、３．６Ｌ／ｈｒ・個の噴霧ノズルを空調装置の室外機用には２個、冷蔵庫の室外機用には４個、冷凍庫の室外機用には２個使用して、合計で２８．８Ｌ／ｈｒのＲＯ水を噴霧した。
店舗の出入口（図２の自動扉４）の直上には、３．６Ｌ／ｈｒ・個の噴霧ノズル４個を配置して、合計で１４．４Ｌ／ｈｒを噴霧して出入口全体をミストシャワーで覆った。
前記時間内において延べ８００人が出入口から出入りしたが、羽虫の侵入は確認されず、自動扉付近も乾いた状態が維持されていた。
なお、本発明の羽虫の侵入防止装置を使用していないときは、羽虫の侵入が避けられなかった。
【産業上の利用可能性】
【００２７】
本発明の羽虫の侵入防止方法は、各種店舗などの建物の出入口から内部に羽虫が侵入することを防止するために利用することができる。
【符号の説明】
【００２８】
１  建物（店舗）
２  前壁面
３  側壁面
４  自動扉
５  室外機
１０  ＲＯ装置
１１  第１ライン
１２  第１噴霧ノズル
２１  第２ライン
２２  第２噴霧ノズル
【図１】
2019092434.tif 000002
【図２】
2019092434.tif 000003